(57)【要約】【課題】会葬者が故人を偲び、供養することに集中できる葬儀進行支援状を作成すること。【解決手段】葬儀次第（２４）が記載されていることを特徴とする葬儀進行支援状。葬儀室の配置図（２５）に会葬者用座席（２９）を記載すると共に、会葬者用座席が少なくとも親族用と一般用に分かれていることを記載してあることを特徴とする。焼香作法（３７）が記載してあることを特徴とする。葬儀の前日に撮影した葬儀室の祭壇写真（１６）が載っていることを特徴とする。【選択図】      図１
2004255734.tif 000002
【特許請求の範囲】
【請求項１】
葬儀次第（２４）が記載されていることを特徴とする葬儀進行支援状。
【請求項２】
葬儀室の配置図（２５）に会葬者用座席（２９）を記載すると共に、会葬者用座席が少なくとも親族用と一般用に分かれていることを記載してあることを特徴とする請求項１記載の葬儀進行支援状。
【請求項３】
焼香作法（３７）が記載してあることを特徴とする請求項１又は２記載の葬儀進行支援状。
【請求項４】
葬儀の前日に撮影した葬儀室の祭壇写真（１６）が載っていることを特徴とする請求項１、２又は３記載の葬儀進行支援状。
【発明の詳細な説明】
【０００１】
【発明の属する技術分野】
本発明は、葬儀の際に使用される葬儀進行支援状に関する。
【０００２】
【従来の技術】
会葬者は受付の人に香典を渡し、同時に香典返しを受け取って帰宅する。香典返しには、会葬御礼状が入っていることがある。そして、会葬御礼状には、参列への御礼や、故人に関する記載が記されているものがある（例えば、特許文献１参照。）。
【０００３】
【特許文献１】
特開２００２−１７８６７１号公報（第４図）
【０００４】
【発明が解決しようとする課題】
しかし、会葬御礼状はあくまで葬儀後に見るものであって、葬儀の前や葬儀中に見るものではなく、葬儀を円滑に進行させるように支援する役割がない。従って、会葬者の中には葬儀に伴う諸事に気を取られて、葬儀の最も重要なことである故人を偲び、供養するということに集中できない人もいる。会葬の経験が少ない場合にはその傾向がある。なお、葬儀に伴う諸事とは、着席場所の確認、葬儀の進行状況、焼香時期、或いは焼香作法等が挙げられる。
【０００５】
本発明は上記実情を考慮して創作されたのであり、会葬者が故人を偲び、供養することに集中できる葬儀進行支援状を作成することを目的とする。
【０００６】
【課題を解決するための手段】
請求項１の発明は、葬儀次第が記載されていることを特徴とする。
【０００７】
葬儀次第は、葬儀進行支援状のどの面に記載しても良い。例えば、葬儀進行支援状が二つ折りの用紙または複数枚の用紙を綴じたものであれば、表紙、見開き、裏表紙のどこに記載しても良い。但し、目に留まりやすいという観点からは、見開きよりは、表紙および裏表紙の方が望ましい。また、表紙には故人の遺影を記載すると共に裏表紙に葬儀次第を記載した方が、故人を偲ぶ葬儀において、その進行を支援するという役割からは望ましい。
【０００８】
請求項２の発明は、葬儀室の配置図に会葬者用座席を記載すると共に、会葬者用座席が少なくとも親族用と一般用に分かれていることを記載してあることを特徴とする。
【０００９】
会葬者用座席は、親族用と一般用の他に会社関係用に分けて記載しても良い。
【００１０】
請求項３の発明は、焼香作法が記載してあることを特徴とする。
【００１１】
葬儀次第と葬儀室の配置図と焼香作法は、別々の面に記載しても良いが、同じ面に記載してある方が、理解しやすいので望ましい。
【００１２】
請求項４の発明は、葬儀の前日に撮影した葬儀室の祭壇写真が載っていることを特徴とする。
【００１３】
祭壇写真は会葬後に故人の葬儀を思い出すのに有効に働くので、葬儀進行支援に関する葬儀次第、葬儀室の配置図、或いは焼香作法が載っている面とは、別の面に載せることが望ましい。
【００１４】
また、葬儀進行支援状は、基本的には葬儀場で渡すことを想定しているが、葬儀の日よりも前日に会葬者に渡すことも考えられる。その場合は、葬儀の場所や日時、場合によっては、通夜の場所や日時を記載しておけば、受け取った人が確認できる。
【００１５】
【発明の実施の形態】
本発明の葬儀進行支援状は二つ折りの用紙であり、表紙１には図２に示すように、遺影写真２を上部中央部に配置して、右側には故人の名前３、下側には生年月日４、死亡年月日５、享年６、左側には簡単な御礼７を記載する。また、表紙１の下部には、葬儀用と通夜用の各日時８，９及び場所１０，１１、寺の名称１２及び住職名１３を記載すると共に、その下には、心を和ませるような風景写真１４（海から見た山の風景）を配置する。
【００１６】
図３に示すように二つ折りの見開き１５の上部には、葬儀の前日に撮影した葬儀室の祭壇写真１６を配置し、左側には、葬儀の際の不行届に関するお詫び１７を記載する。下部の右側には、会葬に対する鄭重な御礼文１８、喪主の名前及び住所１９、家紋２０を記載すると共に、左側には故人に関する事項（経歴、活躍、表彰等）２１、法要の時期２２を記載する。
【００１７】
祭壇写真１６は、葬儀の準備が整ったもの、つまり、寄贈品Ｋ（献花、献菓等）が祭壇に載せられ、プレートＰには名称（人名、会社名等）が記載され、故人の遺影写真２が配置されたものである。祭壇写真の大きさは、プレートＰの名称が視認できる程度にしておくことによって、故人に関係の深い人や会社を知ることができる。また、二つ折りの見開きの両ページにまたがって祭壇写真１６が載っているので、視覚に強く訴えて、故人を偲ぶには最適である。
【００１８】
図１に示すように二つ折りの裏表紙２３の上段には、葬儀次第２４が順番に記載してある。詳しく言えば、「一同着席」、「葬儀開式の辞」、「読経、引導」、「弔辞朗読・弔電の紹介」、「読経、僧侶焼香」、「喪主、遺族焼香」、「僧侶退場」、「喪主挨拶」、「葬儀閉式の辞」、「僧侶入場」、「告別式開式の辞」、「読経」、「一般会葬者焼香」、「僧侶退場」と右側から順番に記載されている。従って、遺族の焼香時期と、一般会葬者（ここでは会社関係者も含む）とで、焼香時期が異なることを確認できる。
【００１９】
裏表紙２３の中段には、葬儀室の配置図２５が記載されている。配置図２５は、複数の枠と、文字表示とから示されている。具体的には、祭壇２６、焼香台２７、お寺様の席２８が枠で表示されると共に、各枠内にその文字表示が記載されている。会葬者用座席２９が行列状の枠で記載され、親族席３０、一般席３１、会社関係席３２に分かれている。各席は、枠（図中、点線の枠）と、その枠内への文字で示してある。また、焼香順路３３，３４が矢印で示されており、その矢印は、会葬者用座席２９から焼香台２７への往路用（実線）３３と、復路用（点線）３４に別々に記載してある。さらに、配置図２５の下側には、お願い事項３５として、「お寺様の前はお通りにならないようにお願いします。」「焼香後、お席にお戻りになる前にお寺様に一礼をお願いいたします。」と記載する。これにより、お寺様も気分良く読経をすることができ、故人を充分に供養できる。その下側には、宗派に関する事項３６（○○宗、宗祖、本尊、お唱え）を記載する。
【００２０】
裏表紙２３の下段には、焼香作法３７を記載する。具体的に言えば、浄土真宗であれば、「仏前で軽く頭を下げます」、「数珠を掛けた手を静かに合わせて心を落ち着かせます」、「抹香をつまんで香炉にいれます  この時頭におしいただかないで回数は一回のきまりです」、「再び数珠を掛けた手を合わせ、その手を静かに胸元に立て、礼拝します」と記載する。これにより、会葬者の全員の焼香の仕方が統一される。
【００２１】
本発明は、２つ折りの用紙であるので、嵩張ることがない。従って、仏壇の引き出しに保管することもでき、故人を偲ぶには理想的とも言える。また、葬儀進行支援に直接関係のあることを表紙、裏表紙に記載し、見開きには会葬後に故人を偲ぶことに関係のあることを載せてあるので、葬儀進行支援と会葬後に故人を偲ぶことが一挙にできる。
【００２２】
【発明の効果】
請求項１の発明によれば、葬儀次第が記載されていることにより、会葬の経験が少ない人は勿論、それ以外の人であっても、葬儀の進行状況を把握することができ、その結果、故人を偲び、供養するということに集中できる。
【００２３】
請求項２の発明によれば、着席場所が把握できるので、迅速に着席でき、葬儀の進行が支障なく行われる。
【００２４】
請求項３の発明によれば、焼香作法が記載されているので、その作法に従って焼香を安心して行える。
【００２５】
請求項４の発明によれば、会葬後に葬儀進行支援状を見た場合に、葬儀室の祭壇写真によって、葬儀を明確に思い出しながら、故人を偲ぶことができる。
【図面の簡単な説明】
【図１】葬儀進行支援状の裏表紙を示す正面図である。
【図２】葬儀進行支援状の表紙を示す正面図である。
【図３】葬儀進行支援状の見開きを示す正面図である。
【符号の説明】
１６  祭壇写真
２４  葬儀次第
２５  葬儀室の配置図
２９  会葬者用座席
３７  焼香作法
【図１】
2004255734.tif 000003
【図２】
2004255734.tif 000004
【図３】
2004255734.tif 000005